(57)【要約】　　　（修正有）【課題】円柱度数及び円柱軸がある検査レンズが掛け枠に保持されている場合でも、測定時にレンズのタブが不用意に装置本体に当たることがなく、レンズの光学特性を簡易且つ正確に測定できる光学特性測定方法及びレンズメータを提供すること。【解決手段】掛け枠の被検査レンズの光学特性を測定する方法は、掛け枠１００の左右のレンズ保持枠１００Ｌ，１００Ｒを水平に配置したとき前記各レンズ保持枠の周縁の前後の部分から前後に突出する枠支持板１１１を前記掛け枠にそれぞれ着脱可能に取り付けた後、前記一対のフレーム保持部材間に前記左右のレンズ保持枠及び枠保持板を配設して、被検査レンズ１０２の最下部のものを前記左右一対のレンズ受でそれぞれ支持させると共に、前記左右の枠支持板を前記一対のフレーム保持部材間で挟持させた状態で、前記被検査レンズ１０２の光学特性を前記左右の測定光学系によりそれぞれ測定するようにしている。【選択図】　図２２
2004045215.tif 000002
【特許請求の範囲】
【請求項１】
左右一対の測定光学系と、前記左右の測定光学系の光路途中にそれぞれ配設された一対のレンズ受と、前後に相対接近・離反可能に設けられ且つ前記レンズ受に眼鏡レンズが支持されたメガネの眼鏡フレームを前後方向から挟持可能な一対のフレーム保持部材を備えるレンズメータを用いて掛け枠の検査レンズの光学特性を測定する方法であって、
掛け枠の左右のレンズ保持枠を水平に配置したとき前記各レンズ保持枠の周縁の前後の部分から前後に突出する枠支持部材を前記掛け枠にそれぞれ着脱可能に取り付けた後、前記一対のフレーム保持部材間に前記左右のレンズ枠及び枠支持部材を配設して、前記左右のレンズ保持枠に保持された検査レンズの最下部のものを前記左右一対のレンズ受でそれぞれ支持させると共に、前記左右の枠支持部材を前記一対のフレーム保持部材間で挟持させた状態で、前記左右のレンズ保持枠の前記検査レンズの光学特性を前記左右の測定光学系によりそれぞれ測定するようにしたことを特徴とする掛け枠の検査レンズの光学特性測定方法。
【請求項２】
請求項１に記載の掛け枠の検査レンズの光学特性測定方法において、前記レンズメータは、前記眼鏡レンズをレンズ受に対して押さえる押さえ位置と前記押さえ位置及び前記測定光学系の光路から退避した退避位置との間で移動可能に設けられているレンズ押さえを備えていると共に、前記レンズ受に眼鏡レンズを支持させたメガネの眼鏡フレームが前記一対のフレーム保持部材で保持されると同時に前記レンズ押さえが退避位置にあるときに、前記測定光学系により前記眼鏡レンズの光学測定をさせる演算制御回路と、前記掛け枠の枠支持部材が前記一対のフレーム保持部材間で挟持されたのを検出する掛け枠検出手段を備え、
前記演算制御回路は、前記掛け枠検出手段からの掛け枠検出信号を受けたときに、前記レンズ押さえ部材によるレンズ押さえ動作を禁止して、前記左右のレンズ保持枠の前記検査レンズの光学特性を前記左右の測定光学系によりそれぞれ測定させることを特徴とする掛け枠の検査レンズの光学特性測定方法。
【請求項３】
測定光学系と、前記測定光学系の光路途中に配設されたレンズ受を備えるレンズメータにおいて、
前記レンズ受が設けられた筐体部に掛け枠の左右のテンプルを保持させるテンプル保持手段が設けられていることを特徴とするレンズメータ。
【請求項４】
請求項３のレンズメータにおいて、前記テンプル保持手段は前後に移動調整可能に筐体部に保持されていることを特徴とするレンズメータ。
【請求項５】
請求項３又は４に記載のレンズメータにおいて、前記左右のテンプル保持手段は前記検査レンズに円柱度数がある場合の軸角度の基準に設定されていることを特徴とするレンズメータ。
【発明の詳細な説明】
【０００１】
【発明の属する技術分野】
この発明は、掛け枠の左右のレンズ保持枠に保持される検査レンズの屈折特性等の光学特性を測定するための掛け枠の検査レンズの光学特性測定方法及びレンズメータに関するものである。
【０００２】
【従来の技術】
一般に、他覚式のレフラクトメータやピジョンテスター等の自覚式検眼装置を用いて、被検眼の遠視，近視，乱視等の屈折特性を測定し、この屈折特性からメガネのＳ（球面度数），Ｃ（円柱度数），Ａ（円柱軸の軸角度）等の処方値を作るようにしている。この様にして得られる処方値は、遠視，近視，乱視等を完全に矯正するためのものであるため、完全処方値と言うことができる。
【０００３】
しかしながら、今までは遠視，近視，乱視等のために良く見えなかった被検者が完全処方値に基づいてメガネを作成した場合、被検者は目眩や頭痛を感じたり、目の疲労を感じたりすることもある。
【０００４】
例えば、視力０．２の被検者がメガネの完全処方値による視力が１．２の場合、視力を１．２とするメガネの完全処方値はディオプターが−４．５である。しかし、視力０．２から１．２にいきなり矯正した場合には、矯正幅が大きくきつくなるため、被検者は目眩や頭痛を感じたり、目の疲労を感じたりすることもある。
【０００５】
このため従来は、実際に作成するメガネのＳ，Ｃ，Ａの値を測定により得られた完全処方値よりも低くした眼鏡処方値とすることにより、目眩や頭痛を感じたり、目の疲労を感じたりするのをできるだけ抑制するようにしている。ここで、上述した視力０．２の被検者の完全処方値による視力が１．２の場合には、例えば、最終的な矯正視力を完全処方値による視力１．２よりも低い０．８とすると良い。
【０００６】
【発明が解決しようとする課題】
ところで、この様な眼鏡処方値を作成する場合、レフラクトメータやピジョンテスター等により完全処方値を作成した後、この完全処方値よりも低くした処方値に基づいてレンズ交換法により装用テストを行って、最終的な確認を行うようにしている。
【０００７】
このレンズ交換法では、適当なディオプターの基準レンズ（検査レンズである交換レンズの一つ）をトライアルフレーム等の検査用メガネフレームいわゆる掛け枠に装着すると共に、この基準レンズのディオプターを少しずつ増減するための交換レンズを検査レンズとして多数用意しておいて、この交換レンズをトライアルフレームに順次装着し、被検者による見え方を聞きながら最終的に見やすい状態にする。例えば、視力が０．２で完全処方値による矯正視力が１．２の被検者の場合において、最終的な視力を得るためのメガネを処方する場合、トライアルフレームに例えば−４．５Ｄの基準レンズをセットすると共に、−０．２５Ｄの交換レンズを複数用意しておいて、このレンズをトライアルフレームに順次装着し、被検者による見え方を聞きながら最終的に見やすい状態にする。
【０００８】
そして、この見えやすい状態でトライアルフレームを数十分装用したときに違和感を感じなければ、このときの基準レンズと交換レンズによるレンズの合計ディオプターが眼鏡処方値となる。しかも、掛け枠に円柱度数を有する検査レンズが保持されている場合、この検査レンズの円柱軸の向きも眼鏡処方値として記録しておく必要がある。
【０００９】
しかしながら、この基準レンズと交換レンズのディオプターの合計は、検者が暗算で行うか、電卓等を用いて計算するかしていたため、間違う虞もあった。
【００１０】
また、この様にして合計された眼鏡処方値は、通常メモをとっておいて、このメモの処方値をキーボードからパソコンに入力する等の処理をしていた。このため、従来はトライアルフレームによる最終的な眼鏡処方値の入力に手間がかかるものであった。
【００１１】
これを解決するために、例えばレンズメータ等の測定光学系を用いて掛け枠の左右のレンズ保持枠に保持された検査レンズの屈折特性（光学特性）を測定することも考えられる。しかしながら、検査レンズのタブ（ツマミ）がレンズ保持枠の周面より突出しているため、掛け枠に円柱度数を有する検査レンズが保持されている場合、検査レンズのタブが不用意に測定装置に当たると、眼鏡処方値の一つである円柱軸の向き（角度）がズレてしまう虞があった。
【００１２】
そこで、この発明は、円柱度数及び円柱軸がある検査レンズが掛け枠に保持されている場合でも、測定時に検査レンズのタブが不用意に装置本体に当たることがなく、掛け枠のレンズ保持枠に保持された検査レンズの光学特性を簡易且つ正確に測定できる掛け枠の検査レンズの光学特性測定方法及びレンズメータを提供することを目的とするものである。
【００１３】
【課題を解決するための手段】
この目的を達成するため、請求項１の発明は、左右一対の測定光学系と、前記左右の測定光学系の光路途中にそれぞれ配設された一対のレンズ受と、前後に相対接近・離反可能に設けられ且つ前記レンズ受に眼鏡レンズが支持されたメガネの眼鏡フレームを前後方向から挟持可能な一対のフレーム保持部材を備えるレンズメータを用いて掛け枠の検査レンズの光学特性を測定する方法であって、掛け枠の左右のレンズ保持枠を水平に配置したとき前記各レンズ保持枠の周縁の前後の部分から前後に突出する枠支持部材を前記掛け枠にそれぞれ着脱可能に取り付けた後、前記一対のフレーム保持部材間に前記左右のレンズ枠及び枠支持部材を配設して、前記左右のレンズ保持枠に保持された検査レンズの最下部のものを前記左右一対のレンズ受でそれぞれ支持させると共に、前記左右の枠支持部材を前記一対のフレーム保持部材間で挟持させた状態で、前記左右のレンズ保持枠の前記検査レンズの光学特性を前記左右の測定光学系によりそれぞれ測定するようにした検査レンズの光学特性測定方法としたことを特徴とする。
【００１４】
また、請求項２の発明は、請求項１に記載の掛け枠の検査レンズの光学特性測定方法において、前記レンズメータは、前記眼鏡レンズをレンズ受に対して押さえる押さえ位置と前記押さえ位置及び前記測定光学系の光路から退避した退避位置との間で移動可能に設けられているレンズ押さえを備えていると共に、前記レンズ受に眼鏡レンズを支持させたメガネの眼鏡フレームが前記一対のフレーム保持部材で保持されると同時に前記レンズ押さえが退避位置にあるときに、前記測定光学系により前記眼鏡レンズの光学測定をさせる演算制御回路と、前記掛け枠の枠支持部材が前記一対のフレーム保持部材間で挟持されたのを検出する掛け枠検出手段を備え、前記演算制御回路は、前記掛け枠検出手段からの掛け枠検出信号を受けたときに、前記レンズ押さえ部材によるレンズ押さえ動作を禁止して、前記左右のレンズ保持枠の前記検査レンズの光学特性を前記左右の測定光学系によりそれぞれ測定させる掛け枠の検査レンズの光学特性測定方法としたことを特徴とする。
【００１５】
更に、請求項３の発明は、上述した目的を達成するため、測定光学系と、前記測定光学系の光路途中に配設されたレンズ受を備えるレンズメータにおいて、前記レンズ受が設けられた筐体部に掛け枠の左右のテンプルを保持させるテンプル保持手段が設けられているレンズメータとしたことを特徴とする。
【００１６】
また、請求項４の発明は、請求項３のレンズメータにおいて、前記テンプル保持手段は前後に移動調整可能に筐体部に保持されていることを特徴とする。
【００１７】
また、請求項５の発明は、請求項３又は４に記載のレンズメータにおいて、前記左右のテンプル保持手段は前記検査レンズに円柱度数がある場合の軸角度の基準に設定されていることを特徴とする。
【００１８】
【発明の実施の形態１】
以下、この発明の実施の形態１を図面に基づいて説明する。尚、図１〜図２０は、通常のメガネの眼鏡レンズの光学測定及び掛け枠の検査レンズの光学特性測定に用いるレンズメータＬｍを示したものである。
（ｉ）レンズメータ
［構成］
＜装置本体＞
図１は本発明に係わるレンズメータの正面図、図２は図１のレンズメータの右側面図である。
【００１９】
この図１，図２において、１はレンズメータＬｍの装置本体（本体ケース）である。この装置本体１は、上部筐体部２と下部筐体部３及びこれらを連設している連設筐体部４から側面形状が図２に示したように略コ字状に形成されている。この上部筐体部２と下部筐体部３との間は、図５に示したメガネ（眼鏡）５のセット空間６とされている。尚、連設筐体部４は、後部側の筐体部４ｂが前壁４ａ側から着脱可能となっている。
【００２０】
また、下部筐体部３は上壁７を有し、この上壁７の左右の部分には開口８Ｌ，８Ｒが図１に示したように形成されている。この下部筐体３内は、左右の中央に配設された仕切壁３ａにより、左右の空間（室）３Ｌ，３Ｒに区画されている。しかも、装置本体１は、左右一対の測定光学系９Ｌ，９Ｒを有する。
＜測定光学系９Ｌ，９Ｒ＞
（左の測定光学系９Ｌ）
測定光学系９Ｌは、上部筐体部２内に内蔵された投光光学系（照明光学系）１０Ｌと、下部筐体部３に内蔵された受光光学系１１Ｌを有する。
【００２１】
投光光学系１０Ｌは、測定光束投影用の光源であるＬＥＤ１２，１３、ダイクロイックミラー１４Ｌ、反射ミラー１５及びコリメートレンズ１６を備えている。ＬＥＤ１２は赤外光を発し、ＬＥＤ１３は赤色光（波長６３０ｎｍ）を発する。ダイクロイックミラー１４ＬはＬＥＤ１２からの赤外光を反射し、ＬＥＤ１３からの赤色光を透過する。コリメートレンズ１６はＬＥＤ１２，１３から発生した発散光束を測定光束としての平行光束に変換する役割を果たす。尚、反射ミラー１５は中央部から左側の半分が用いられる。
【００２２】
また、受光光学系１１Ｌは、開口８Ｌに取り付けられたハルトマンのパターン板１７、上面にスクリーン１８ａが設けられたフィールドレンズ１８、反射ミラー１９，２０，２１、光路合成プリズム２２、結像レンズ２３、ＣＣＤ（受光素子、受光手段）２４を有する。パターン板１７には多数の光透過部（図示せず）がマトリックス状に設けられている。
【００２３】
このパターン板１７の中央部上には、軸状（ピン状）のレンズ受軸（レンズ受）１７ａが基準ピンとして一体に上方に向けて突設されている。このレンズ受軸１７ａは、上端部が半球状に形成されていると共に、軸線が測定光学系９Ｌの光軸ＯＬと一致するように配設されている。
（右の測定光学系９Ｒ）
測定光学系９Ｒは、上部筐体部２内に内蔵された投光光学系（照明光学系）１０Ｒと、下部筐体部３に内蔵された受光光学系１１Ｒを有する。
【００２４】
投光光学系１０Ｒは、測定光束投影用の光源であるＬＥＤ２５，２６、ダイクロイックミラー１４Ｒ、反射ミラー１５及びコリメートレンズ２７を備えている。ＬＥ２５は赤外光を発し、ＬＥＤ２６は赤色光（波長６３０ｎｍ）を発する。上述したダイクロイックミラー１４ＲはＬＥＤ２５からの赤外光を反射し、ＬＥＤ２６からの赤色光を透過する。コリメートレンズ２７はＬＥＤ２５，２６から発生した発散光束を測定光束としての平行光束に変換する役割を果たす。尚、反射ミラー１５は中央部から右側の半分が用いられる。
【００２５】
また、受光光学系１１Ｒは、開口８Ｌに取り付けられたハルトマンのパターン板２８、上面にスクリーン２９ａが設けられたフィールドレンズ２９、反射ミラー３０，３１、光路合成プリズム２２、結像レンズ２３、ＣＣＤ（受光素子、受光手段）２４を有する。パターン板２８には多数の光透過部（図示せず）がマトリックス状に設けられている。
【００２６】
このパターン板２８の中央部上には、軸状（ピン状）のレンズ受軸（レンズ受）２８ａが基準ピンとして一体に上方に向けて突設されている。このレンズ受軸２８ａは、上端部が半球状に形成されていると共に、軸線が測定光学系９Ｒの光軸ＯＲと一致するように配設されている。
＜フレーム保持機構＞
また、装置本体１には、メガネ５の左右の眼鏡レンズＬＬ，ＲＬをレンズ受軸１７ａ，２８ａに支持させたときに、このメガネ５のメガネフレームＭＦを保持するフレーム保持機構が設けられている。また、上壁７の前縁部及び後縁部の左右方向中央部分３２，３３には、図９に示したように隔壁３ａに沿って前後方向に延びるスリット３４，３５がそれぞれ形成されている。
【００２７】
また、このフレーム保持機構は、左右に延び且つ前側上壁７の後縁部及び前縁部上にそれぞれ配設された一対の板状のフレーム保持板３６，３７をフレーム保持部材（レンズ保持部材、レンズ枠保持部材）として有する。このフレーム保持板３６，３７の対向面３６ａ，３７ａは、図２，図６，図８に示したように下方に向けて僅かに傾斜させられて、傾斜面となっている。
【００２８】
更に、このフレーム保持機構（レンズ枠保持機構）は、下部筐体部３内に配設された一対のリンク板（移動部材、スライド板）３８，３９を有する（図８，図１１，図１２参照）。このリンク板３８，３９は、仕切壁３ａの一側面の上部に沿って前後に向けて配設されている。
【００２９】
このリンク板３８は、図８，図１４に示したように一端部に上方に向けて突設された取付片３８ａと、図８，図１２，図１４に示したように左右に間隔をおいて形成されたスリット３８ｂ，３８ｃと、他端部に下方に向けて突設された係合片３８ｄと、係合片３８ｄに下方に向けて形成された係合切欠３８ｅを有する。そして、取付片３８ａは、スリット３５を介して上壁７の上方に突出すると共に、フレーム保持板３６に取り付けられている。
【００３０】
また、リンク板３９は、長手方向の中間部に上方に向けて突設された取付片３９ａと、一端部及び中間部に形成されたスリット３９ｂ，３９ｃと、他端部に上方に向けて突設された係合片３９ｄと、係合片３９ｄに上方に向けて形成された係合切欠３９ｅを有する。そして、取付片３９ａは、スリット１１７を介して上壁７の上方に突出すると共に、フレーム保持板３７に取り付けられている。
【００３１】
しかも、ガイドネジ４０は、リンク板３８，３９のスリット３８ｂ，３９ｂにそれぞれ挿通された後、先端部が隔壁３ａに螺着されている。また、ガイドネジ４１は、リンク板３８，３９のスリット３８ｃ，３９ｃにそれぞれ挿通された後、先端部が隔壁３ａに螺着されている。このガイドネジ４０，４１は、リンク板３８，３９を長手方向に相対的にスライド変位可能に結合（係合）させている。
【００３２】
更に、フレーム保持機構は、図７，図８，図１１に示したように下部筐体部３の上部及び仕切壁３ａに対応して連設筐体部４の前壁４ａに形成された開口４２と、開口４２の側縁に後方（下部筐体部３内）に向けて突設された支持片４３と、この支持片４３に取り付けられた支持ネジ４４を有する。
【００３３】
この支持ネジ４４は、開口４２側に位置する頭部４４ａと、頭部４４ａに連設された大径軸部４４ｂと、大径軸部４４ｂに連設されたネジ部４４ｃを有する。そして、支持ネジ４４は、ネジ部４４ｃを支持片４３に螺着することにより、支持片４３に取り付けられている。また、ネジ部４４ｃは、支持片４３を貫通して開口４２側とは反対側に突出している。そして、ネジ部４４ｃの突出部には、図１１に示したようにリング状のスペーサ４５が装着されていると共に、ナット４６が螺着されている。このナット４６は、スペーサ４５側に小径軸部４６ａを有すると共に、スペーサ４５を支持片４３に固定している。
【００３４】
また、フレーム保持機構は、大径軸部４４ｂに回転自在に保持された回転板（連結部材）４７と、回転板４７のリンク板３８，３９側の部分に１８０°の間隔をおいて取り付けられた係合ピン４８，４９と、支持片４３側に突設された係合ピン５０を有する。そして、係合ピン４８，４９にはリンク板３８，３９の係合切欠３８ｅ，３９ｅが係合している。しかも、リンク板３８，３９の取付片３８ａ，３９ａの基部間にはコイルスプリング５１が介装されていて、コイルスプリング５１はフレーム保持板３６，３７が互いに接近する方向にリンク板３８，３９をバネ付勢している。
【００３５】
更に、ナット４６の小径筒部４６ａにはギヤ５２がベアリング５３を介して回転自在に保持され、ギヤ５２の側面には係合ピン５０に周方向から係合する係合突部５３が一体に設けられている。このギヤ５２の近傍には、連設筐体部４の前壁４ａに取り付けたパルスモータ等の駆動モータ（駆動手段）５４が配設されている。この駆動モータ５４にはパルスモータを用いることができる。また、この駆動モータ５４に出力軸５４ａにはギヤ５２に噛合するピニオン５５が取り付けられている。
【００３６】
しかも、仕切壁３ａには、フレーム保持板３６，３７間が最大に開いたときの、リンク板３８の移動停止位置を検出するマイクロスイッチ５６が位置検出手段として取り付けられている。
【００３７】
また、前壁４ａには先端部を回転板４７の周面に臨ませたブラケット９０が取り付けられ、ブラケット９０の先端部には回転板４７の周面に臨ませてマイクロスイッチ９１取り付けられている。このマイクロスイッチ９１は、フレーム保持板３６，３７間が最大に開く手前の間隔になったときに、回転板４７の周面に突設した突部４７ａでＯＮさせられる様になっている。
＜鼻当支持機構＞
また、上壁７の上には、図９に示したように開口８Ｌ，８Ｒ間及びフレーム保持板３６，３７間に位置させて鼻当支持機構の半円柱状の鼻当支持部材５７が配設されている。この鼻当支持部材（フレーム位置決部材）５７は、上下に向けて延びていると共に、平面形状が半円状に形成されている。この鼻当支持部材５７の下端には支持軸５８が突設されている。
【００３８】
更に、上壁７には、図９，図１０に示したように、開口８Ｌ，８Ｒ間に位置させて前後に延びるスリット５９が形成されている。このスリット５９には、鼻当支持部材５７の下端に突設された支持軸５８が挿通されている。更に、上壁７の上下にはスリット５９に沿って延びる支持板６０，６１が配設され、支持軸５８は支持板６０，６１を貫通している。しかも、支持板６０，６１間には支持軸５８に嵌合したスペーサ筒６２が介装され、支持軸５８の下端部には固定ナット６３が螺着されている。この固定ナット６３は、支持板６０，６１及びスペーサ筒６２を鼻当支持部材５７に一体に固定している。
【００３９】
このスペーサ筒６２は、長手方向に移動可能に且つ幅方向には移動しないようにスリット５９内に配設されている。しかも、スペーサ筒６２は、上壁７の板厚寸法よりも僅かに長く形成されていて、支持板６０，６１が上壁７の板面に沿って移動可能に設けられている。尚、支持軸５８と支持板６０，６１は相対回転しないようになっている。
【００４０】
また、支持板６１のバネ係止突部６１ａと仕切壁３ａのバネ係止突部３ｂとの間にはコイルスプリングＳが介装されていて、コイルスプリングＳは支持板６０，６１及び鼻当支持部材５７をフレーム保持板３６側に付勢している。しかも、仕切壁３ａには、支持板６１のフレーム保持板３７側端部６１ａに対応させて、マイクロスイッチ６４が移動検出手段として取り付けられている。このマイクロスイッチ６４は、鼻当支持部材５７がフレーム保持板３７側に移動させられて、支持板６０，６１がフレーム保持板３７側に移動させられたときに、アクチュエータ６４ａが支持板６１の端部６１ａにより押圧されてＯＮすることにより、鼻当支持部材５７の移動操作を検出するようになっている。
＜レンズ押さえ機構＞
また、連設筐体部４の前壁４ａには、図１，図２，図６，図７に示したようにレンズ押さえ機構６５がレンズ押さえ手段として設けられている。このレンズ押さえ機構６５は、フレーム保持板３７の上方に位置させて前壁４ａの左右の側部に回転自在にそれぞれ取り付けられた回転軸６６Ｌ，６６Ｒを有する。この回転軸６６Ｌ，６６Ｒは、前壁４ａから手前側に突出している共に、互いに平行に且つ前後方向に延びている。
【００４１】
更に、レンズ押さえ機構６５は、回転軸６６Ｌ，６６Ｒの側部にそれぞれ固定されたＬ字状のアーム６７Ｌ，６７Ｒと、アーム６７Ｌの先端部に取り付けられた一対のレンズ押さえ軸６８Ｌ（図１９（ｂ）参照）、アーム６７Ｒの先端部に取り付けられた一対のレンズ押さえ軸６８Ｒ（図１９（ｂ）参照）を有する。
【００４２】
尚、レンズメータ１を正面から見たときに一対のレンズ押さえ軸６８Ｌ及び６８Ｒはそれぞれ一つしか見えないが、図１９（ａ）のレンズメータ１を右側面から見たときに、図１９（ｂ）の様にレンズ押さえ軸６８Ｒは一対見える。このときに、一対のレンズ押さえ軸６８Ｌは一対のレンズ押さえ軸６８Ｒと重なる位置にある。従って、説明の便宜上、一対のレンズ押さえ軸６８Ｌの符号を一対のレンズ押さえ軸６８Ｒの符号の部分に記載して説明する。このレンズ押さえ軸６８Ｌ，６８Ｒは先端部がピン状に形成されている。
【００４３】
また、レンズ押さえ軸６８Ｌ，６８Ｒは、アーム６７Ｌ，６７Ｒが図１，図２の如く起立させられたとき、先端部が図１の如く互いに対向するようになっている。
【００４４】
このレンズ押さえ軸６８Ｌ，６８Ｌ（６８Ｒ，６８Ｒ）は、アーム６７Ｌ（６７Ｒ）が図６の如く水平に倒されたときに、基準ピンであるレンズ受１７ａ（２８ａ）の軸線、即ち光軸ＯＬ（ＯＲ）の両側に位置するようになっている。
【００４５】
また、レンズ押さえ機構６５は、図６，図７に示したように、連設筐体部４内において回転軸６６Ｌ，６６Ｒにそれぞれ固定されたセクタ状の回転板６９Ｌ，６９Ｒと、回転板６９Ｌ，６９Ｒの下縁部に連設された細幅の係合片７０Ｌ，７０Ｒと、回転板６９Ｌ，６９Ｒの下縁部に設けられたバネ係止部７１Ｌ，７１Ｒと、バネ係止部７１Ｌ，７１Ｒの下方に位置させて前壁４ａに突設されたバネ係止部７２Ｌ，７２Ｒと、バネ係止部７１Ｌ，７２Ｌ間に介装された引張りコイルスプリング７３Ｌと、バネ係止部７１Ｒ，７２Ｒ間に介装された引張りコイルスプリング７３Ｒを有する。
【００４６】
更に、レンズ押さえ機構６５は、連設筐体部４内において前壁４ａの上部に取り付けられたパルスモータ等の駆動モータ７４を有する。この駆動モータ７４は、出力軸７４ａが上下方向に向けられていると共に、出力軸７４ａが連設筐体部４の左右方向の中央部に配設されている。そして、出力軸７４ａにはピニオン７５が取り付けられている。また、前壁４ａには駆動モータ７４の下方に位置させてＬ字状のブラケット７６が取り付けられている。このブラケット７６には前壁４ａに沿って上下に延びる送りネジ７７の上端部が回転自在に且つ上下移動不能に保持されている。尚、図示は省略したが、ブラケット７６に筒状の軸受を上下に向けて固定し、この軸受に送りネジ７７の上端部を回転自在に且つ上下移動不能に保持する。また、軸受は上下に間隔をおいて複数設けても良い。更に、送りネジ７７の上下端部を軸受で前壁４ａに回転自在に保持しても良い。
【００４７】
この送りネジ７７の上端部にはピニオン７５に噛合するギヤ７８が取り付けられている。この送りネジ７７は連設筐体部４の左右方向の中央部に配設され、この送りネジ７７の下部のネジ部７７ａには昇降部材７９が螺着されている。この昇降部材７９の下端部には図７中左右に延びるフランジ７９ａが前壁４ａ向けて突設されている。このフランジ７９ａは、前壁４ａに当接させられていて、昇降部材７９の昇降により前壁４ａに対して上下に摺接移動する様になっている。そして、このフランジ７９ａ上には係合片７０Ｌ，７０Ｒの先端部が引張りコイルスプリング７３Ｌ，７３Ｒのバネ力によりそれぞれ当接させられている。
＜制御回路＞
上述したＣＣＤ２４の出力（測定信号）は図５の演算制御回路（演算制御手段）８０に入力され、リミットスイッチ５６及びマイクロスイッチ６４は演算制御回路８０に接続されている。また、演算制御回路８０は、ＬＥＤ１２，１３，２５，２６を点灯制御し、駆動モータ５４及び７４を作動制御する様になっている。また、この演算制御回路８０には測定開始スイッチＳａが接続されている。更に、演算制御回路８０にはマイクロスイッチ９１からのＯＮ信号が入力される様になっている。
（ｉｉ）メガネ５及び掛け枠
（メガネ５）
レンズメータＬｍで測定されるメガネ５は、本実施例では図５に示したように、メガネフレームＭＦ、メガネフレームＭＦの左右のレンズ枠ＬＦ，ＲＦに枠入れされた眼鏡レンズＬＬ，ＲＬと、左右のレンズ枠ＬＦ，ＲＦを連設しているブリッジＢと、左右のレンズ枠ＬＦ，ＲＦ等に設けられる鼻当ＮＰと、左右のレンズ枠ＬＦ，ＲＦに設けられたテンプルＬＴ，ＲＴを有する。
（掛け枠）
また、レンズメータＬｍで測定される掛け枠（トライアルフレーム）１００は図２１（ａ）に示した様な構成を有する。尚、図２１（ｂ）は図２１（ａ）掛け枠１００のレンズ保持枠１０１Ｌ，１０１Ｒに保持される検査レンズ１０２を示したものである。この検査レンズ１０２は、レンズ用の環状枠１０２ａと、環状枠１０２ａ内に保持されたレンズ１０２ｂと、環状枠１０２ｂの外周面に半径方向に向けて一体に突設された突部１０２ｃと、突部１０２ｃに設けられたタブ（ツマミ）１０２ｄを有する。
【００４８】
更に、掛け枠１００は、保持枠取付ベースとしての左右の環状板部（リング状板部）１００Ｌ，１００Ｒと、環状板部１００Ｌ，１００Ｒを一体に連設している鼻当兼用のブリッジ１００Ｂと、環状板部１００Ｌ，１００Ｒの互いに反対側の縁部に一体に設けられた取付板部１０３Ｌ，１０３Ｒと、取付板部１０３Ｌ，１０３Ｒに取り付けられたテンプル１０４Ｌ，１０４Ｒを有する。
【００４９】
そして、レンズ保持枠１０１Ｌ，１０１Ｒは、環状板部１００Ｌ，１００Ｒ内に周方向に向けて回転可能に保持されている。しかも、環状板部１００Ｌ，１００Ｒには、取付板部１０３Ｌ，１０３Ｒより下方に位置させて回転操作用の操作ツマミ１０５Ｌ，１０５Ｒが取り付けられている。この操作ツマミ１０５Ｌ，１０５Ｒを矢印Ｂ１，Ｂ２で示した方向に回転させることにより、レンズ保持枠１０１Ｌ，１０１Ｒが矢印Ｃ１，Ｃ２で示した方向に回転するようになっている。この構成には周知の構成を採用することができるので、その詳細な説明は省略する。
【００５０】
また、環状板部１００Ｌ，１００Ｒの正面には周方向に向けて多数の目盛り線を配列した目盛１０６Ｌ，１０６Ｒが付されている。この目盛１０６Ｌ，１０６Ｒは、円柱度数を有する検査レンズの円柱軸の軸角度を読み取るために設けられている。
【００５１】
更に、レンズ保持枠１０１Ｌの正面には、検査レンズを受け止める溝が複数設けられたレンズ受部１０７Ｌと、レンズ受部１０７Ｌに検査レンズを押し付けて保持させる板バネ１０８Ｌが設けられている。また、レンズ保持枠１０１Ｒの正面には、検査レンズを受け止める溝が複数設けられたレンズ受部１０７Ｒと、レンズ受部１０７Ｒに検査レンズを押し付けて保持させる板バネ１０８Ｒが設けられている。
【００５２】
上述のメガネ５は、補助具を用いることなくレンズメータＬｍで光学特性を測定できる。しかし、掛け枠１００は、次の枠保持具（補助具）を用いることでレンズメータＬｍで光学特性を測定できる。
（ｉｉｉ）枠保持具（掛け枠ホルダー）
この掛け枠用の枠保持具１１０は、図２２に示したように、環状で小判形状をした枠支持板（枠支持部材）１１１を有する（図２３〜図２６参照）。この枠支持板１１１は、中央に小判状の光透過孔１１２を有する。しかも、枠支持板１１１の長手方向の両端部には、光透過孔１１２の両端に開口する切欠１１２ａが形成されている。この枠支持板１１１の長手方向の端縁１１１ａ，１１１ａは枠支持板１１１の中心Ｏａを中心とする半径で円弧状に形成されている。尚、切欠１１２ａの長手方向の端縁も中心Ｏａを中心とする半径で円弧状に形成されている。
【００５３】
この枠支持板１１１の長手方向の両端部の一面には、光透過孔１１２の円弧状端縁に沿って円弧状に延びる枠支持部材１１３，１１３がそれぞれ取り付けられている。この枠支持部材１１３は、切欠１１２ａの開口端を塞ぐように且つ板面と直交する方向に突出させられている。
【００５４】
また、枠支持板１１１の長手方向の両端部の一面には、切欠１１２ａの光透過孔１１２への開放端とは反対側の縁部に隣接してブラケット１１４がそれぞれ取り付けられている。各ブラケット１１４は図２２，図２６，図２７に示したように左右に間隔をおいて配置された対向片１１４ａ，１１４ａを有し、この各ブラケット１１４の対向片１１４ａ，１１４ａには左右に延びる支持軸１１５の両端部が保持されている。
【００５５】
しかも、切欠１１２ａには支持軸１１５に沿って左右に延びる板状の操作レバー１１６が挿通されている。この操作レバー１１６の中間部の両側部には、支持片１１６ａ，１１６ａが突設されている。そして、支持軸１１５は支持片１１６ａ，１１６ａを貫通している。この支持片１１６ａ，１１６ａにより、操作レバー１１６は支持軸１１５に回動自在に保持されている。この操作レバー１１６の一端部には枠係止爪（枠保持爪）１１７が一体に設けられている。
【００５６】
更に、操作レバー１１６とブラケット１１４との間には支持軸１１５に捲回保持させたネジリコイルバネ１１８が介装されている。このネジリコイルバネ１１８は、枠係止爪１１７が枠支持部材１１３側に回動する方向（図２３，２４では矢印１１９で示したように支持軸１１５を中心に反時計回り方向）に、操作レバー１１６を回動付勢している。
【００５７】
尚、図２３において、操作レバー１１６，１１６の他端部１１６ｂ，１１６ｂを摘んで互いに接近する方向に引くと、操作レバー１１６，１１６が支持軸１１５，１１５を中心に矢印１２０，１２０′で示したように互いに反対方向に回動して、操作レバー１１６，１１６の一端部の係止爪１１７，１１７が互いに離反する方向に開かせる。一方、この操作レバー１１６，１１６の他端部１１６ｂ，１１６ｂから手を離して操作力を解除すると、操作レバー１１６，１１６がネジリコイルバネ１１８，１１８のバネ力により支持軸１１５，１１５を中心に矢印１１９，１１９′で示したように互いに反対方向に回動して、操作レバー１１６，１１６の一端部の係止爪１１７，１１７が互いに接近させられる。
【００５８】
従って、掛け枠１００の左のレンズ保持枠１００Ｌに枠保持具１１０を取り付けるには、先ず、枠保持具１１０の長手方向をレンズ保持枠１００Ｌ，１００Ｒの配列方向とは直交（交差）する方向に向ける。この状態で、枠保持具１１０の操作レバー１１６，１１６の他端部１１６ｂ，１１６ｂを摘んで互いに接近する方向に引いて、操作レバー１１６，１１６の一端部の係止爪１１７，１１７を開いて、操作レバー１１６，１１６間に環状板部１００Ｌを配設する。
【００５９】
この後、枠保持具１１０の操作レバー１１６，１１６の他端部１１６ｂ，１１６ｂから手を離すと、操作レバー１１６，１１６の一端部側がネジリコイルバネ１１８，１１８のバネ力により環状板部１００Ｌ側にそれぞれ回動して、操作レバー１１６，１１６の一端部の係止爪１１７，１１７が環状板部１００Ｌを円弧状の枠支持部材１１３，１１３の先端部に押し付けることになる。
【００６０】
これにより、枠保持具１１０が掛け枠１００の環状板部１００Ｌに取り付けられることになる。同様にして、掛け枠１００の右のレンズ保持枠１００Ｒに枠保持具１１０を保持させることができる。この際、各枠支持部材１１１の中心とレンズ保持枠１００Ｌ，１００Ｒの中心はそれぞれ一致するようになっている。
【００６１】
そして、この状態では、掛け枠１００の左右のレンズ保持枠１００Ｌ，１００Ｒを水平に配置したとき、枠支持部材１１１は各レンズ保持枠１００Ｌ，１００Ｒの周縁の前後の部分から前後に突出することになる。しかも、レンズ保持枠１００Ｌ又は１００Ｒに検査レンズ１０２が着脱可能に保持（装着）された状態で、検査レンズ１０２のタブ１０２ｄが枠支持板１１１の長手方向に向けられても、タブ１０２ｄが枠支持板１１１の端縁１１１ａから突出しないように、枠支持板１１１の長手方向の長さ（寸法）が設定されている。
［作用］
次に、この様な構成のレンズメータの作用を説明する。
（電源投入前）
このレンズメータの電源を投入する前には、図８に示したように、ギヤ５２の係合突部５３が二点鎖線で示した位置に位置させられている。この位置では、コイルスプリング５１の張力を小さくさせるために、図８，図１５（ｂ）に示したように、フレーム保持板３６，３７がコイルスプリング５１の引張り力（バネ力）により二点鎖線で示した位置に位置させられていて、フレーム保持板３６，３７の間隔が最小となっている。この位置では、係合ピン４８，４９，５０が二点鎖線で示した位置に位置させられていて、係合突部５３が係合ピン５０から時計回り方向に僅かに離れている。
【００６２】
また、レンズメータの電源を投入する前には、コイルスプリング７３Ｌ，７３Ｒの引張り力（バネ力）を小さくするために、昇降部材７９が図７に実線で示したように送りネジ７７のネジ部７７ａの下端部に位置させられている。この位置では、回転板６９Ｌ，６９Ｒの係合片７０Ｌ，７０Ｒが実線で示したようにコイルスプリング７３Ｌ，７３Ｒの引張り力（バネ力）により下方に傾斜させられた状態となっていて、アーム６７Ｌ，６７Ｒが水平に倒された状態となっている。（電源投入による初期化）
この様な状態からレンズメータの電源を投入すると演算制御回路８０は、鼻当支持部材５７の移動を検出すると、駆動モータ５４を作動制御してピニオン５５を回転させ、このピニオン５５によりギヤ５２を図８中反時計回り方向に回転させる。この回転に伴いギヤ５２の側面に突設した係合突部５３は、回転板４７の係合ピン５０に当接した後、この係合ピン５０を図８中反時計回り方向に回転させて、回転板４７を反時計回り方向に回転させる。
【００６３】
この回転板４７に回転に伴い、係合ピン４８，４９が回転板４７と一体に二点鎖線で示した位置から反時計回り方向に回転させられ、リンク板３８，３９がコイルスプリング５１の引張り力（バネ力）に抗して互いに反対方向に変位させられる。即ち、図８中、リンク板３８は図示を省略した位置から右方に実線で示した位置まで変位させられ、リンク板３９は図示を省略した位置から左方に実線で示した位置まで変位させられる。このリンク板３８が図８の実線で示した位置まで変位させられると、このリンク板３８の端部によりリミットスイッチ５６がＯＮさせられ、このＯＮ信号が演算制御回路８０に入力される。この演算制御回路８０は、リミットスイッチ５６からのＯＮ信号が入力されると、駆動モータ５４の作動を停止させる。
【００６４】
このリンク板３８，３９の相対変位により、フレーム保持板３６，３７が図８，図１５（ｂ）中、二点鎖線で示した位置から実線で示した位置まで矢印８２，８３で示した方向（互いに反対方向）に変位させられて、フレーム保持板３６，３７の間隔が最大に広がり、測定作業の待機状態となる。
【００６５】
一方、レンズメータの電源を投入すると、演算制御回路８０は図６，図７の駆動モータ７４を作動させてピニオン７５を回転させ、このピニオン７５の回転をギヤ７８を介して送りネジ７７に伝達させ、昇降部材７９が図７に二点鎖線で示したように送りネジ７７のネジ部７７ａの上端部まで移動させる。これにより、測定を開始する前には、回転板６９Ｌ，６９Ｒの係合片７０Ｌ，７０Ｒが上方に二点鎖線で示したように傾斜させられた状態となっていて、アーム６７Ｌ，６７Ｒが図１，図２の如く起立させられ、レンズ押さえ軸６８Ｌ，６８Ｒの先端部が図１の如く互いに対向させられて、測定作業の待機状態となる。
（１）メガネ５の眼鏡レンズＬＬ，ＬＲの屈折特性（光学特性）の測定
（メガネの配設及び保持）
この様な状態においてレンズメータによりメガネ５の屈折特性等の光学特性を測定するには、先ず図１６（ａ），（ｂ）に示したように、メガネ５の鼻当ＮＰ，ＮＰを鼻当支持部材５７の上端部の前面に当接させて、メガネ５を鼻当支持部材５７に対してフレーム保持板３７側に押圧することにより、鼻当支持部材５７を図１６（ｂ）の矢印８１で示した様にフレーム保持板３７側にコイルスプリングＳのバネ力に抗して移動させると共に、メガネ５の眼鏡フレームＭＦを下げてフレーム保持板３６，３７間に配設する。
【００６６】
この際、鼻当支持部材５７の移動により、支持板６０，６１がフレーム保持板３７側に鼻当支持部材５７と一体に移動させられると、マイクロスイッチ６４のアクチュエータ６４ａが支持板６１の端部６１ａにより押圧されてＯＮさせられる。このＯＮ信号は演算制御回路８０に入力され、鼻当支持部材５７の移動操作が検出される。
【００６７】
そして、演算制御回路８０は、マイクロスイッチ６４からのＯＮ信号が入力されると、駆動モータ５４を所定数の駆動パルスで作動制御してピニオン５５を所定回転数だけ回転させ、このピニオン５５によりギヤ５２を図８中時計回り方向に回転させて、ギヤ５２の側面に突設した係合突部５３を時計回り方向に回転させる。この駆動モータ５４の回転は、係合突部５３が二点鎖線で示した位置に移動するまで回転させる。尚、この位置はマイクロスイッチやリミットスイッチ等で検出して、駆動モータ５４を停止させるようにすることもできる。
【００６８】
これに伴い、回転板４７の係合ピン５０は、コイルスプリング５１のバネ力により係合突部５３に追従して図８中時計回り方向に回転させられ、回転板４７が時計回り方向に係合ピン５０と一体に回転する。この回転板４７の回転に伴ってマイクロスイッチ９１は、回転板４７の突部４７ａにより短い時間でＯＮさせられた後にＯＦＦさせられる。この際のマイクロスイッチ９１のＯＮ状態は非常に短い時間であるので、演算制御回路８０は掛け枠１００がフレーム保持板３６，３７間に配設されているとは判断しない。
【００６９】
この回転板４７に回転に伴い、係合ピン４８，４９が回転板４７と一体に実線で示した位置から時計回り方向に回転させられ、リンク板３８，３９がコイルスプリング５１の引張り力（バネ力）により互いに反対方向に変位させられる。この際、リンク板３８が図８中左方に変位させられて、リンク板３８と一体のフレーム保持板３６が図８中矢印８４で示したように左方に変位させられると共に、リンク板３９が右方に変位させられて、リンク板３９と一体のフレーム保持板３７が図８中矢印８５で示したように右方に変位させられる。
【００７０】
これにより、フレーム保持板３６，３７は、図１７（ｂ）に矢印８４，８５で示したように互いに接近する方向に移動して、図１８（ｂ）の如くメガネ５の眼鏡フレームＭＦを傾斜する対向面３６ａ，３７ａ間で保持（挟持）する。
【００７１】
尚、この様に眼鏡フレームＭＦを傾斜する対向面３６ａ，３７ａ間で保持（挟持）している状態では、リミットスイッチ６４が支持板６１でＯＮさせられた状態となっている。また、本実施例では、図５に示したように眼鏡フレームＭＦのレンズ枠ＬＦと眼鏡レンズＬＬは略同じ厚さであり、眼鏡フレームＭＦのレンズ枠ＲＦと眼鏡レンズＬＲは略同じ厚さであるので、図１６〜図２０では符号ＬＬを符号ＬＦと同じ部分に付し、符号ＬＲを符号ＲＦと同じ部分に付して説明する。
（眼鏡フレームのセット状態の修正）
次に、測定開始スイッチＳａを押すと演算制御回路８０は、駆動モータ７４を所定数の駆動パルスで作動制御してピニオン７５を回転させ、この回転をギヤ７８を介して送りネジ７７に伝達させ、この送りネジ７７により昇降部材７９を二点鎖線で示した位置から下方に移動させる。この際、駆動モータ７４の作動は、昇降部材７９が送りネジ７７の下端部に達するまで行われる。そして、昇降部材７９が送りネジ７７の下端部に達すると駆動モータ７４の作動が停止させられる。尚、この様な動作は、パルスモータである駆動モータ７４を所定回転数だけ回転させることにより行うことができる。しかし、この昇降部材７９の上下の移動位置はマイクロスイッチ等で位置検出手段で検出して、この位置検出手段からの検出信号により駆動モータ７４の作動停止を行うようにしても良い。
【００７２】
そして、昇降部材７９の下方への移動に伴い、回転板６９Ｌ，６９Ｒの係合片７０Ｌ，７０Ｒの先端部が昇降部材７９のフランジ７９ａに追従して下方に移動し、回転板６９Ｌがコイルスプリング７３Ｌのバネ力で図７中反時計回り方向に回転させられると共に、回転板６９Ｒがコイルスプリング７３Ｒのバネ力で図７中時計回り方向に回転させられる。
【００７３】
この様な回転板６９Ｌ，６９Ｒの回転は回転軸６６Ｌ，６６Ｒを介してアーム６７Ｌ，６７Ｒに伝達される。これにより、アーム６７Ｌ及びレンズ押さえ軸６８Ｌが図１８（ａ）の矢印８６で示したように時計回り方向に回動変位させられると共に、アーム６７Ｒ及びレンズ押さえ軸６８Ｒが図１８（ａ）の矢印８７で示したように反時計回り方向に回動変位させられる。この様にレンズ押さえ軸６８Ｌ，６８Ｌおよび６８Ｒ，６８Ｒは、回転しながら降下して、図１９に示したようにメガネ５の左右の眼鏡レンズＬＬ及びＬＲを先端部でレンズ受軸１７ａ及び２８ａに対してそれぞれ押し付ける。
【００７４】
この際、眼鏡レンズＬＬ，ＬＲがレンズメータの前後方向において傾斜した状態で配設されていても、２つのレンズ押さえ軸（レンズ押さえ部材）６８Ｌ，６８Ｌがレンズ受軸１７ａの軸線（光軸ＯＬと一致）の両側を押さえ付け、２つのレンズ押さえ軸６８Ｒ，６８Ｒはレンズ受軸２８ａの軸線（光軸ＯＲと一致）の両側を押さえ付けるので、眼鏡レンズＬＬ，ＬＲの水平方向の傾きが修正された位置で、眼鏡フレームＭＦがフレーム保持板３６，３７の傾斜する対向面３６ａ，３７ａ間で正しく保持されることになる。この際、レンズ押さえ軸６８Ｌ，６８Ｌによる眼鏡レンズＬＬ，ＬＲの押さえ付け力は、コイルスプリング７３Ｌ，７３Ｒのバネ力のみでおこなわれることになる。
【００７５】
この後、演算制御回路８０は、駆動モータ７４を上述とは逆に所定数の駆動パルスで作動制御して、昇降部材７９を上昇させ、この昇降部材７９により係合片７０Ｌ，７０Ｒの先端部を上昇させることにより、回転板６９Ｌ，６９Ｒをコイルスプリング７３Ｌ，７３Ｒのバネ力に抗して上述とは逆に回転させ、アーム６７Ｌ，６７Ｒを図２０に矢印８８，８９で示したように上方を向く位置まで垂直に回転させる。この位置では、アーム６７Ｌ，６７Ｒに取り付けたレンズ押さえ軸６８Ｌ，６８Ｒがハルトマンプレート１７，２８の上方から左右に退避するので、レンズ押さえ軸６８Ｌ，６８Ｒが測定光束を遮らない状態となる。
（屈折特性の測定）
＜眼鏡レンズＬＬの屈折特性測定＞
この状態で演算制御回路８０は、測定光学系９ＬのＬＥＤ１２，１３を順番に点灯させて、眼鏡レンズＬＬの測定を行う。この際、ＬＥＤ１２からの測定光束は、ダイクロイックミラー１４Ｌ及び全反射ミラー１５で反射した後、コリメートレンズ１６により平行光束とされて眼鏡レンズＬＬに投光される。これに伴い、眼鏡レンズＬＬを透過した測定光束は、パターン板１７を透過して多数の測定光束となり、この多数の測定光束がフィールドレンズ１８の上面に投影される。このフィールドレンズ１８の上面に投影された多数の測定光束は、フィールドレンズ１６、反射ミラー１９，２０，２１、光路合成プリズム２２及び結像レンズ２３を介してＣＣＤ２４に案内される。この際、結像レンズ２３は、ＣＣＤ２４上にパター板１７のパターン像を結像させる。
【００７６】
また、ＬＥＤ１３からの測定光束は、ダイクロイックミラー１４Ｌを透過して全反射ミラー１５で反射した後、コリメートレンズ１６で平行光束にされて眼鏡レンズＬＬに投光される。これに伴い、眼鏡レンズＬＬを透過した測定光束は、パターン板１７を透過して多数の測定光束となり、この多数の測定光束がフィールドレンズ１８の上面に投影される。このフィールドレンズ１８の上面に投影された多数の測定光束は、フィールドレンズ１６、反射ミラー１９，２０，２１、光路合成プリズム２２及び結像レンズ２３を介してＣＣＤ２４に案内される。この際、結像レンズ２３は、ＣＣＤ２４上にパター板１７のパターン像を結像させる。
【００７７】
そして、演算制御回路８０は、ＣＣＤ２４に結像されたパター像の状態から眼鏡レンズＬＬの各部の屈折特性を測定して、眼鏡レンズＬＬの各部の屈折特性のマッピングデータを求める。この屈折特性としては、球面度数（Ｓ），円柱度数（Ｃ），円柱軸角度（Ａ）等がある。
＜眼鏡レンズＬＲの屈折特性測定＞
この状態で演算制御回路８０は、測定光学系９ＲのＬＥＤ２５，２６を順番に点灯させて、眼鏡レンズＬＲの測定を行う。この際、ＬＥＤ２５からの測定光束は、ダイクロイックミラー１４Ｒ及び全反射ミラー１５で反射した後、コリメートレンズ２７により平行光束とされて眼鏡レンズＬＲに投光される。これに伴い、眼鏡レンズＬＲを透過した測定光束は、パターン板２８を透過して多数の測定光束となり、この多数の測定光束がフィールドレンズ２９の上面に投影される。このフィールドレンズ２９の上面に投影された多数の測定光束は、フィールドレンズ２９、反射ミラー３０，３１、光路合成プリズム２２及び結像レンズ２３を介してＣＣＤ２４に案内される。この際、結像レンズ２３は、ＣＣＤ２４上にパター板２８のパターン像を結像させる。
【００７８】
また、ＬＥＤ２６からの測定光束は、ダイクロイックミラー１４Ｒ及び全反射ミラー１５で反射した後、コリメートレンズ２７により平行光束とされて眼鏡レンズＬＲに投光される。これに伴い、眼鏡レンズＬＲを透過した測定光束は、パターン板２８を透過して多数の測定光束となり、この多数の測定光束がフィールドレンズ２９の上面に投影される。このフィールドレンズ２９の上面に投影された多数の測定光束は、フィールドレンズ２９、反射ミラー３０，３１、光路合成プリズム２２及び結像レンズ２３を介してＣＣＤ２４に案内される。この際、結像レンズ２３は、ＣＣＤ２４上にパター板２８のパターン像を結像させる。
【００７９】
そして、演算制御回路８０は、ＣＣＤ２４に結像されたパター像の状態から眼鏡レンズＬＬの各部の屈折特性を測定して、眼鏡レンズＬＲの各部の屈折特性のマッピングデータを求める。この屈折特性としては、球面度数（Ｓ），円柱度数（Ｃ），円柱軸角度（Ａ）等がある。
【００８０】
また、演算制御回路８０は、この様にして求めた眼鏡レンズＬＬ，ＬＲの屈折特性（光学特性）を図示しない他の眼科装置に送信手段（ネットワークやケーブル，無線）を介して送信できる様になっている。尚、レンズメータの上部筐体２の正面に液晶表示器（表示手段）を設けて、この液晶表示器に測定した眼鏡レンズＬＬ，ＬＲの屈折特性のマッピング表示を行わせるようにしても良い。
（メガネ５の取り外し）
また、この様にして測定が行われている状態では、眼鏡フレームＭＦはコイルスプリング５１のバネ力によりフレーム保持板３６，３７間で挟持されているだけである。従って、フレーム保持板３６を手前側に引っ張ることにより、リンク板３８がコイルスプリング５１のバネ力に抗して図８中左方に移動させられて、回転板４７がリンク板３８と係合ピン４８を介して時計回り方向に回動させられる。一方、この回転によりリンク板３９が係合ピン４９を介して図８中左方に移動させられて、フレーム保持板３７がフレーム保持板３６から離反する方向に移動する。
【００８１】
この様にフレーム保持板３６を手前側に引っ張ることにより、フレーム保持板３６，３７の間隔を広げることができる。従って、測定後にメガネ５をフレーム保持板３６，３７間から取り外す場合には、フレーム保持板３６を手前側に引っ張って、フレーム保持板３６，３７の間隔を広げることにより、メガネ５をフレーム保持板３６，３７間から容易に取り外すことができる。
【００８２】
また、この取り外しにより、鼻当支持部材５７がコイルスプリングＳのバネ力により原状に復帰し、マイクロスイッチ６４がＯＦＦし、このＯＦＦ信号が演算制御回路８０に入力される。これにより演算制御回路８０は、駆動モータ５４を所定数の駆動パルスで作動制御してピニオン５５を回転させ、このピニオン５５によりギヤ５２を図８中反時計回り方向に回転させる。この回転に伴いギヤ５２の側面に突設した係合突部５３は、回転板４７の係合ピン５０に当接した後、この係合ピン５０を図８中反時計回り方向に回転させて、回転板４７を反時計回り方向に回転させる。
【００８３】
この回転板４７に回転に伴い、係合ピン４８，４９が回転板４７と一体に二点鎖線で示した位置から反時計回り方向に回転させられ、リンク板３８，３９がコイルスプリング５１の引張り力（バネ力）に抗して互いに反対方向に変位させられる。即ち、図８中、リンク板３８は図示を省略した位置から右方に実線で示した位置まで変位させられ、リンク板３９は図示を省略した位置から左方に実線で示した位置まで変位させられる。このリンク板３８が図８の実線で示した位置まで変位させられると、このリンク板３８の端部によりリミットスイッチ５６がＯＮさせられ、このＯＮ信号が演算制御回路８０に入力される。この演算制御回路８０は、リミットスイッチ５６からのＯＮ信号が入力されると、駆動モータ５４の作動を停止させる。
【００８４】
このリンク板３８，３９の相対変位により、フレーム保持板３６，３７が図８，図１５（ｂ）中、二点鎖線で示した位置から実線で示した位置まで矢印８２，８３で示した方向に変位させられて、フレーム保持板３６，３７の間隔が最大に広がり、次の測定に備える状態となる。
（２）掛け枠１００のレンズ保持枠１０１Ｌ，１０１Ｒに保持された検査レンズ１０２の屈折特性（光学特性）の測定
（掛け枠１００への枠保持具１１０の装着）
また、掛け枠１００のレンズ保持枠１０１Ｌ，１０１Ｒにそれぞれ保持された複数の検査レンズ１０２（互いに球面度数或いは円柱度数等が異なる）の屈折特性をレンズメータＬｍで測定するには、掛け枠１００の環状板部１００Ｌ，１００Ｒに枠保持具１１０をそれぞれ取り付ける。
【００８５】
この掛け枠１００の左のレンズ保持枠１００Ｌに枠保持具１１０を取り付けるには、先ず、枠保持具１１０の長手方向をレンズ保持枠１００Ｌ，１００Ｒの配列方向とは直交（交差）する方向に向ける。この状態で、枠保持具１１０の操作レバー１１６，１１６の他端部１１６ｂ，１１６ｂを摘んで互いに接近する方向に引いて、操作レバー１１６，１１６の一端部の係止爪１１７，１１７を開いて、操作レバー１１６，１１６間に環状板部１００Ｌを配設する。
【００８６】
この後、枠保持具１１０の操作レバー１１６，１１６の他端部１１６ｂ，１１６ｂから手を離すと、操作レバー１１６，１１６の一端部側がネジリコイルバネ１１８，１１８のバネ力により環状板部１００Ｌ側にそれぞれ回動して、操作レバー１１６，１１６の一端部の係止爪１１７，１１７が環状板部１００Ｌを円弧状の枠支持部材１１３，１１３の先端部に押し付けることになる。
【００８７】
これにより、枠保持具１１０が掛け枠１００の環状板部１００Ｌに取り付けられることになる。同様にして、掛け枠１００の右のレンズ保持枠１００Ｒに枠保持具１１０を保持させることができる。この際、各枠支持部材１１１の中心とレンズ保持枠１００Ｌ，１００Ｒの中心はそれぞれ一致するようになっている。
【００８８】
そして、この状態では、掛け枠１００の左右のレンズ保持枠１００Ｌ，１００Ｒを水平に配置したとき、枠支持部材１１１は各レンズ保持枠１００Ｌ，１００Ｒの周縁の前後の部分から前後に突出することになる。しかも、レンズ保持枠１００Ｌ又は１００Ｒに検査レンズ１０２が着脱可能に保持（装着）された状態で、検査レンズ１０２のタブ１０２ｄが枠支持板１１１の長手方向に向けられても、タブ１０２ｄが枠支持板１１１の端縁１１１ａから突出しない。
（掛け枠１００のレンズメータＬｍへの保持）
（掛け枠１００の配設及び保持）
この様な状態においてレンズメータＬｍにより掛け枠１００の屈折特性等の光学特性を測定するには、図２８に示したように掛け枠１００のレンズ保持枠１００Ｌ，１００Ｒをフレーム保持板３６，３７間に挿入する。この際、図２１の掛け枠１００の鼻当兼用のブリッジ１００Ｂを鼻当支持部材５７の上端部の前面に当接させて、掛け枠１００を鼻当支持部材５７に対してフレーム保持板３７側に押圧することにより、鼻当支持部材５７を図２８位置から図３０の位置まで矢印９２で示した方向にフレーム保持板３７側にコイルスプリングＳのバネ力に抗して移動させる。
【００８９】
この際、鼻当支持部材５７の移動により、支持板６０，６１がフレーム保持板３７側に鼻当支持部材５７と一体に移動させられると、マイクロスイッチ６４のアクチュエータ６４ａが支持板６１の端部６１ａにより押圧されてＯＮさせられる。このＯＮ信号は演算制御回路８０に入力され、鼻当支持部材５７の移動操作が検出される。
【００９０】
そして、演算制御回路８０は、マイクロスイッチ６４からのＯＮ信号が入力されると、駆動モータ５４を所定数の駆動パルスで作動制御してピニオン５５を所定回転数だけ回転させ、このピニオン５５によりギヤ５２を図８中時計回り方向に回転させて、ギヤ５２の側面に突設した係合突部５３を時計回り方向に回転させる。この駆動モータ５４の回転は、係合突部５３が二点鎖線で示した位置まで移動するまで回転させる。
【００９１】
これに伴い、回転板４７の係合ピン５０は、コイルスプリング５１のバネ力により係合突部５３に追従して図８中時計回り方向に回転させられ、回転板４７が時計回り方向に係合ピン５０と一体に回転する。
【００９２】
この回転板４７に回転に伴い、係合ピン４８，４９が回転板４７と一体に実線で示した位置から時計回り方向に回転させられ、リンク板３８，３９がコイルスプリング５１の引張り力（バネ力）により互いに反対方向に変位させられる。この際、リンク板３８が図８中左方に変位させられて、リンク板３８と一体のフレーム保持板３６が図８中矢印８４で示したように左方に変位させられると共に、リンク板３９が右方に変位させられて、リンク板３９と一体のフレーム保持板３７が図８中矢印８５で示したように右方に変位させられる。
【００９３】
これにより、フレーム保持板３６，３７は、図２８に矢印９３，９４で示したように互いに接近する方向に移動して、図２９の如く最小の間隔になる。この位置では、図８中、リンク板３８，３９の右端は二点鎖線で示した位置に位置する。
【００９４】
この状態で、掛け枠１００に保持させた枠保持具１１０の枠支持板１１１でフレーム保持板３７をコイルスプリングＳのバネ力に抗して図８の二点鎖線の位置から前壁４ａ側に押圧変位させる。これに伴いリンク板３９は、図８中、二点鎖線の位置から実線の位置側に移動させられて、係合ピン４９が二点鎖線の位置から実線の位置側に移動する方向に移動させられ、回転板４７が反時計回り方向に回転させられる。そして、枠支持板１１１がフレーム保持板３６，３７間に配設されて、枠支持板１１１の長手方向の端縁が傾斜する対向面３６ａ，３７ａ間で図３０に示したように保持（挟持）される。これにより、枠支持板１１１が傾斜する対向面（傾斜面）３６ａ，３７ａにより下方に僅かに押圧されるので、枠支持板１１１がフレーム保持板３６，３７間から抜け外れることはない。しかも、この作用により、掛け枠１００のレンズ保持枠１００Ｌ，１００Ｒに保持させた複数の検査レンズの最下部のものがレンズ受軸１７ａ，２８ａに確実に当接した状態が維持されることになる。
【００９５】
この際、掛け枠１００の各レンズ保持枠１０１Ｌ，１０１Ｒに保持された複数の検査レンズのうち最下部のものがレンズ受軸１７ａ，２８ａに支持される。しかも、各レンズ保持枠１０１Ｌ，１０１Ｒに保持された検査レンズのタブは枠支持板１１１の長手方向の両端の円弧状の端縁から突出することがない。この結果、このタブがレンズ保持枠１０１Ｌ，１０１Ｒをフレーム保持板３６，３７間に保持させる際に邪魔になることはない。また、検査レンズの中に円柱度数があるシリンダレンズを有する検査レンズがレンズ保持枠１０１Ｌ，１０１Ｒに保持されていても、タブの位置がずれることはない。更に、枠支持板１１１の長手方向の両端の端縁は、枠支持板１１１の中心（レンズ保持枠１０１Ｌ，１０１Ｒの中心と一致）を中心に円弧状に形成されているので、枠支持板１１１が掛け枠１００に多少傾斜した状態で保持されていても、この枠支持板１１１を挟持するフレーム保持板３６，３７間の間隔は変化しない。
【００９６】
しかも、枠支持板１１１の長手方向の端縁が傾斜する対向面３６ａ，３７ａ間で保持（挟持）された位置では、マイクロスイッチ９１が回転板４７の突部４７ａによりＯＮさせられた状態となるようになっている。
【００９７】
そして、このマイクロスイッチ９１のＯＮ信号は演算制御回路８０に入力される。この演算制御回路８０は、マイクロスイッチ９１からのＯＮ信号を受けてからＯＮ状態が所定時間経過したか否かを判断して、所定時間経過したときには掛け枠１００が枠保持具１１０を介してフレーム保持板３６，３７間で保持されていると判断する。
【００９８】
尚、この様に掛け枠１００に保持させた枠支持板１１１を傾斜する対向面３６ａ，３７ａ間で保持（挟持）している状態では、リミットスイッチ６４が支持板６１でＯＮさせられた状態となっている。
【００９９】
この状態で、上述したメガネ５の左右の眼鏡レンズＬＬ，ＬＲの測定と同様にして、掛け枠１００のレンズ保持枠１０１Ｌに保持された複数の検査レンズの合計の屈折特性（光学特性）、及びレンズ保持枠１０１Ｒに保持された複数の検査レンズの合計の屈折特性（光学特性）が測定される。そして、演算制御回路８０は、この様にして求めたレンズ保持枠１０１Ｌに保持された複数の検査レンズの合計の屈折特性（光学特性）、及びレンズ保持枠１０１Ｒに保持された複数の検査レンズの合計の屈折特性（光学特性）を図示しないパソコンに送信手段（ネットワークやケーブル，無線）を介して送信して、パソコンのデータベース等に入力できる様になっている。
（その他）
以上説明した実施例では、駆動モータ５４，７４にパルスモータを用いて、駆動モータ５４，７４を所定数の駆動パルスで所定回転数だけ回転制御させる様にしたが、必ずしもこれに限定されるものではない。例えば、駆動モータ５４，７４にＤＣモータを用いることもできる。
【０１００】
また、フレーム保持板３６，３７をリンク板３８，３９、係合ピン４８，４９及び回転板４７を介して連動させることにより、フレーム保持板３６，３７同士を相対接近・相対離反の同期を図るようにしたが、必ずしもこれに限定されるものではない。例えば、各フレーム保持板３６，３７をエアシリンダ及びエア回路を用いて互いに接近離反できるように構成することもできる。要は、フレーム保持板３６，３７同士を相対接近・相対離反の同期を図ることができれば、他の構成を採用しても良い。
【０１０１】
【発明の実施の形態２】
［構成］
図３１〜図３７は、この発明の実施の形態２を示したものである。この発明の実施の形態２では、発明の実施の形態１のフレーム保持機構及びレンズ押さえ機構６５が省略された構成となっている。また、発明の実施の形態２では、発明の実施の形態１と同じ測定光学系及び鼻当支持機構が設けられている。従って、この発明の実施の形態２では、測定光学系及び鼻当支持機構の図示及びその詳細な説明は省略する。尚、図１〜図３０に示した部分と同一の部分には、図１〜図３０に示した符号と同一の符号を付して説明する。
【０１０２】
この発明の実施の形態では、図３３に示したように、下部筐体部３の両側壁に前後に延びるガイド溝２００，２００が形成されていると共に、このガイド溝２００，２００に支持されるフレーム２０１を有する（図３１，図３２参照）。このフレーム２０１は、左右のフレーム部２０１ａ，２０１ｂと、フレーム部２０１ａ，２０１ｂの一端部同士を連設している連設部２０１ｃと、フレーム部２０１ａ，２０１ｂの他端部に互いに反対側に向けて突出させたアーム部２０１ｄ，２０１ｅから平面形状がハット状に形成されている。
【０１０３】
そして、このガイド溝２００，２００には左右のフレーム部２０１ａ，２０１ｂが図３３に矢印Ｐａで示したように前後にスライド可能に嵌合保持されている。
【０１０４】
このアーム部２０１ｄ，２０１ｅ内には、図３４に示したように左右に延びる空間２０２Ｌ，２０２Ｒと、空間２０２Ｌ，２０２Ｒ及び正面に開口するスリット２０２Ｌａ，２０２Ｒａが形成されている。この空間２０２Ｌ，２０２Ｒには、テンプル保持手段２０３Ｌ，２０３Ｒが取り付けられている。
【０１０５】
このテンプル保持手段２０３Ｌは、下部筐体部３側に位置させて空間２０２Ｌ内に配設したパルスモータ等の駆動モータ２０４Ｌと、駆動モータ２０４Ｌの出力軸２０５Ｌと一体に設けられ且つ左右方向に延びる送りネジ２０６Ｌを有する。この送りネジ２０６Ｌは、右ネジ部２０６Ｌａと左ネジ部２０６Ｌｂを有する。また、テンプル保持手段２０３Ｌは、基端部が空間２０２Ｌ内に左右動自在に配設された一対の軸状の保持部材２０７Ｌ，２０８Ｌを有する。この保持部材２０７Ｌ，２０８Ｌは前後に延びていると共に送りネジ２０６Ｌと直交している。ｈしかも、保持部材２０７Ｌ，２０８Ｌの基端部にはネジ孔２０７Ｌａ，２０８Ｌａが形成され、このネジ孔２０７Ｌａ，２０８Ｌａには送りネジ２０６Ｌの右ネジ部２０６Ｌａと左ネジ部２０６Ｌｂが螺着されている。また、保持部材２０７Ｌ，２０８Ｌの他端部はスリット２０２Ｌａを介して手前側に突出していて、保持部材２０７Ｌ，２０８Ｌの突出部分には弾性部材層２０９Ｌ，２１０Ｌがそれぞれ設けられている。
【０１０６】
この構成により、駆動モータ２０４Ｌの正転・逆転駆動させると、送りネジ２０６Ｌの右ネジ部２０６Ｌａと左ネジ部２０６Ｌｂの作用により、保持部材２０７Ｌ，２０８Ｌは矢印Ｐｂで示したように左右に相対接近離反できる。
【０１０７】
このアーム部２０１ｄ，２０１ｅ内には、図３４に示したように左右に延びる空間２０２Ｒ，２０２Ｒと、空間２０２Ｒ，２０２Ｒ及び正面に開口するスリット２０２Ｒａ，２０２Ｒａが形成されている。この空間２０２Ｒ，２０２Ｒには、テンプル保持手段２０３Ｒ，２０３Ｒが取り付けられている。
【０１０８】
このテンプル保持手段２０３Ｒは、下部筐体部３側に位置させて空間２０２Ｒ内に配設したパルスモータ等の駆動モータ２０４Ｒと、駆動モータ２０４Ｒの出力軸２０５Ｒと一体に設けられ且つ左右方向に延びる送りネジ２０６Ｒを有する。この送りネジ２０６Ｒは、右ネジ部２０６Ｒａと左ネジ部２０６Ｒｂを有する。また、テンプル保持手段２０３Ｒは、基端部が空間２０２Ｒ内に左右動自在に配設された一対の軸状の保持部材２０７Ｒ，２０８Ｒを有する。この保持部材２０７Ｒ，２０８Ｒは前後に延びていると共に送りネジ２０６Ｒと直交している。しかも、保持部材２０７Ｒ，２０８Ｒの基端部にはネジ孔２０７Ｒａ，２０８Ｒａが形成され、このネジ孔２０７Ｒａ，２０８Ｒａには送りネジ２０６Ｒの右ネジ部２０６Ｒａと左ネジ部２０６Ｒｂが螺着されている。また、保持部材２０７Ｒ，２０８Ｒの他端部はスリット２０２Ｒａを介して手前側に突出していて、保持部材２０７Ｒ，２０８Ｒの突出部分には弾性部材層２０９Ｒ，２１０Ｒがそれぞれ設けられている。
【０１０９】
この構成により、駆動モータ２０４Ｒの正転・逆転駆動させると、送りネジ２０６Ｒの右ネジ部２０６Ｒａと左ネジ部２０６Ｒｂの作用により、保持部材２０７Ｒ，２０８Ｒは矢印Ｐｂで示したように左右に相対接近離反できる。
【０１１０】
そして、駆動モータ２０４Ｌ，２０４Ｒは演算制御回路８０により作動制御されるようになっている。
［作用］
次に、この様な構成のレンズメータの作用を説明する。
【０１１１】
この様な構成において演算制御回路８０は、駆動モータ２０４Ｌを作動制御して掛け枠１００のテンプル１０４Ｌを保持可能な間隔に保持部材２０７Ｌ，２０８Ｌを開いておくと共に、駆動モータ２０４Ｒを作動制御して掛け枠１００のテンプル１０４Ｒを保持可能な間隔に保持部材２０７Ｒ，２０８Ｒを開いておく。
【０１１２】
この状態で、フレーム２０１を図３３に示したように手前側に引いておいて、掛け枠１００のレンズ保持枠１０１Ｌ，１０１Ｒを図３５（ａ）の如く水平にすると共に、掛け枠１００のテンプル１０４Ｌを保持部材２０７Ｌ，２０８Ｌ間に配設し、掛け枠１００のテンプル１０４Ｒを保持部材２０７Ｒ，２０８Ｒ間に配設する（図３５（ｂ）参照）。
【０１１３】
この状態で、フレーム２０１を図３６（ｂ）に矢印２１０で示した方向に押圧して移動させ、掛け枠１００のレンズ保持枠１０１Ｌ，１０１Ｒをレンズ受軸１７ａ，２８ａ上に配置する。この後、掛け枠１００全体を図３６（ａ）に示したように矢印２１１で示したように下方に変位させて、図３７（ａ），（ｂ）に示したように掛け枠１００のレンズ保持枠１０１Ｌに保持された複数の検査レンズ１０２の最下部のものをレンズ受軸１７ａ上に当接させると共に、掛け枠１００のレンズ保持枠１０１Ｒに保持された複数の検査レンズ１０２の最下部のものをレンズ受軸２８ａ上に当接させる。
【０１１４】
この位置では掛け枠１００のブリッジ１００Ｂが鼻当支持部材５７の正面上部に対応する。この状態で、掛け枠１００全体を鼻当支持部材５７側に移動させて、ブリッジ１００Ｂにより鼻当支持部材５７の上部を図３３に矢印８１で示した方向に移動させると、上述したマイクロスイッチ６４がＯＮさせられ、このＯＮ信号が演算制御回路８０に入力される。
【０１１５】
そして、演算制御回路８０は、この信号を受けると、保持部材２０７Ｌ，２０８Ｌの間隔が狭くなる方向に駆動モータ２０４Ｌを作動制御して、保持部材２０７Ｌ，２０８Ｌ間で掛け枠１００のテンプル１０４Ｌを保持させると共に、保持部材２０７Ｒ，２０８Ｒの間隔が狭くなる方向に駆動モータ２０４Ｒを作動制御して、保持部材２０７Ｒ，２０８Ｒ間で掛け枠１００のテンプル１０４Ｒを保持させる。
【０１１６】
この状態で演算制御回路８０は、上述した実施例と同様にして、掛け枠１００のレンズ保持枠１０１Ｌに保持された複数の検査レンズ１０２の合計の屈折特性（光学特性）を測定すると共に、掛け枠１００のレンズ保持枠１０１Ｒに保持された複数の検査レンズ１０２の合計の屈折特性（光学特性）を測定する。尚、この際、演算制御回路８０は、テンプル保持手段２０３Ｌ，２０３Ｒの位置、即ちアーム部２０１ｄ，２０１ｅの延びる方向を検査レンズ１０２に円柱度数がある場合の円柱軸の軸角度の基準として、軸角度の測定を行う様になっている。
【０１１７】
以上説明したように、この発明の実施の形態の掛け枠１００の検査レンズ１０２の光学特性を測定する方法に用いられるレンズメータＬｍは、左右一対の測定光学系９Ｌ，９Ｒと、前記左右の測定光学系９Ｌ，９Ｒの光路途中にそれぞれ配設された一対のレンズ受（レンズ受軸１７ａ，２８ａ）と、前後に相対接近・離反可能に設けられ且つ前記レンズ受に眼鏡レンズが支持されたメガネの眼鏡フレームを前後方向から挟持可能な一対のフレーム保持部材（フレーム保持板３６，３７）を備える。そして、レンズメータＬｍを用いて掛け枠の検査レンズの光学特性を測定する方法は、掛け枠１００の左右のレンズ保持枠１００Ｌ，１００Ｒを水平に配置したとき前記各レンズ保持枠１００Ｌ，１００Ｒの周縁の前後の部分から前後に突出する枠支持部材（枠支持板１１１）を前記掛け枠１００にそれぞれ着脱可能に取り付けた後、前記一対のフレーム保持部材（フレーム保持板３６，３７）間に前記左右のレンズ枠１００Ｌ，１００Ｒ及び枠支持部材（枠保持板１１１）を配設して、前記左右のレンズ保持枠１００Ｌ，１００Ｒに保持された検査レンズ１０２の最下部のものを前記左右一対のレンズ受（レンズ受軸１７ａ，２８ａ）でそれぞれ支持させると共に、前記左右の枠支持部（材枠支持板１１１，１１１）を前記一対のフレーム保持部材（フレーム保持板３６，３７）間で挟持させた状態で、前記左右のレンズ保持枠１００Ｌ，１００Ｒの前記検査レンズ１０２の光学特性を前記左右の測定光学系によりそれぞれ測定するようにしている。
【０１１８】
この発明の実施の形態の光学特性の測定方法によれば、円柱度数及び円柱軸がある検査レンズが掛け枠に保持されている場合でも、測定時に検査レンズのタブが不用意に装置本体に当たることがなく、掛け枠のレンズ保持枠に保持された検査レンズの光学特性を簡易且つ正確に測定できる。
【０１１９】
この発明の実施の形態によれば、前記レンズメータＬｍは、前記眼鏡レンズＬＬ，ＬＲをレンズ受（レンズ受軸１７ａ，２８ａ）に対して押さえる押さえ位置と前記押さえ位置及び前記測定光学系９Ｌ，Ｒの光路から退避した退避位置との間で移動可能に設けられているレンズ押さえ（レンズ押さえ軸６８Ｌ，６８Ｒ）を備えている。また、レンズメータＬｍは、前記レンズ受（レンズ受軸１７ａ，２８ａ）に眼鏡レンズＬＬ，ＬＲを支持させたメガネ５の眼鏡フレームＭＦが前記一対のフレーム保持部材（フレーム保持板３６，３７）で保持されると同時に前記レンズ押さえ（レンズ押さえ軸６８Ｌ，６８Ｒ）が退避位置にあるときに、前記測定光学系９Ｌ，９Ｒにより前記眼鏡レンズＬＬ，ＬＲの光学測定をさせる演算制御回路８０と、前記掛け枠１００の枠支持部材（枠支持板１１１）が前記一対のフレーム保持部材間（フレーム保持板３６，３７）で挟持されたのを検出する掛け枠検出手段（マイクロスイッチ９１）を備えている。そして、前記演算制御回路８０は、前記掛け枠検出手段（マイクロスイッチ９１）からの掛け枠検出信号を受けたときに、前記レンズ押さえ部材（レンズ押さえ軸６８Ｌ，６８Ｒ）によるレンズ押さえ動作を禁止して、前記左右のレンズ保持枠１００Ｌ，１００Ｒの前記検査レンズ１０２の光学特性を前記左右の測定光学系９Ｌ，９Ｒによりそれぞれ測定させる。
【０１２０】
この構成によれば、掛け枠１００のレンズ保持枠１００Ｌ，１００Ｒに保持された検査レンズ１０２に無理な押さえ力が作用しないので、正確な測定ができる。
【０１２１】
即ち、掛け枠１００のレンズ保持枠１００Ｌ，１００Ｒには複数の検査レンズが重なるように保持されるので、検査レンズ１０２の最上部のものの高さが眼鏡処方値によって異なる。このため、この様なレンズ保持枠１００Ｌ，１００Ｒに保持される検査レンズ１０２をレンズ押さえ軸６８Ｌ，６８Ｒで押さえたときに、検査レンズに無理な力が作用し、検査レンズの保持状態が変化したりして、好ましくない。特に、検査レンズ１０２に円柱度数があるような場合でも、検査レンズ１０２の円柱軸の向きがずれる虞がある。
【０１２２】
しかし、この発明の実施の形態によれば、掛け枠１００のレンズ保持枠１００Ｌ，１００Ｒに保持された検査レンズ１０２に無理な押さえ力が作用しないので、検査レンズ１０２に円柱度数があるような場合でも、検査レンズ１０２の円柱軸の向きがずれることがないく、正確な測定ができる。
【０１２３】
更に、この発明の実施の形態のレンズメータＬｍは、測定光学系９Ｌ，９Ｒと、前記測定光学系９Ｌ，９Ｒの光路途中に配設されたレンズ受（レンズ受軸１７ａ，２８ａ）を備え、前記レンズ受（レンズ受軸１７ａ，２８ａ）が設けられた筐体部（下部筐体部３）に掛け枠１００の左右のテンプル１０４Ｌ，１０４Ｒを保持させるテンプル保持手段２０３Ｌ，２０３Ｒが設けられている。
【０１２４】
この発明の実施形態の構成によれば、掛け枠１００のテンプル１０４Ｌ，１０４Ｒを保持することで、レンズ保持枠１００Ｌ，１００Ｒに保持された検査レンズ１０２のタブ等がレンズメータＬｍに当たるようなこともない。この結果、検査レンズ１０２に円柱度数があるような場合でも、検査レンズ１０２の円柱軸の向きがずれることがないので、簡易に正確な測定ができる。
【０１２５】
また、この発明の実施の形態のレンズメータＬｍでは、前記テンプル保持手段２０３Ｌ，２０３Ｒは前後に移動調整可能に筐体部（下部筐体部３）に保持されている。この発明の実施の形態によれば、テンプル保持手段２０３Ｌ，２０３Ｒにテンプル１０４Ｌ，１０４Ｒを保持させた状態で、掛け枠１００をテンプル保持手段２０３Ｌ，２０３Ｒと一体に前後動させることにより、掛け枠１００のレンズ保持枠１００Ｌ，１００Ｒをレンズ受軸１７ａ，２８ａに対して最適な位置に移動させて、正確な測定を行うことができる。
【０１２６】
更に、この発明の実施の形態のレンズメータＬｍは、前記左右のテンプル保持手段は前記検査レンズに円柱度数がある場合の軸角度の基準に設定されている。この構成によれば、テンプル保持手段２０３Ｌ，２０３Ｒの位置、即ちアーム部２０１ｄ，２０１ｅの延びる方向を検査レンズ１０２に円柱度数がある場合の円柱軸の軸角度の基準として、軸角度の測定を行うことができる。
【０１２７】
【発明の効果】
以上説明した様に請求項１の発明の掛け枠の検査レンズの光学特性測定方法によれば、掛け枠の左右のレンズ保持枠を水平に配置したとき前記各レンズ保持枠の周縁の前後の部分から前後に突出する枠支持部材を前記掛け枠にそれぞれ着脱可能に取り付けた後、前記一対のフレーム保持部材間に前記左右のレンズ枠及び枠支持部材を配設して、前記左右のレンズ保持枠に保持された検査レンズの最下部のものを前記左右一対のレンズ受でそれぞれ支持させると共に、前記左右の枠支持部材を前記一対のフレーム保持部材間で挟持させた状態で、前記左右のレンズ保持枠の前記検査レンズの光学特性を前記左右の測定光学系によりそれぞれ測定するようにしたので、円柱度数及び円柱軸がある検査レンズが掛け枠に保持されている場合でも、測定時に検査レンズのタブが不用意に装置本体に当たることがなく、掛け枠のレンズ保持枠に保持された検査レンズの光学特性を簡易且つ正確に測定できる。
【０１２８】
また、請求項２の掛け枠の検査レンズの光学特性測定方法によれば、前記演算制御回路は、前記掛け枠検出手段からの掛け枠検出信号を受けたときに、前記レンズ押さえ部材によるレンズ押さえ動作を禁止して、前記左右のレンズ保持枠の前記検査レンズの光学特性を前記左右の測定光学系によりそれぞれ測定させる様にしたので、掛け枠のレンズ保持枠に保持された検査レンズに無理な押さえ力が作用しないので、正確な測定ができる。
【０１２９】
即ち、掛け枠のレンズ保持枠には複数の検査レンズが重なるように保持されるので、検査レンズの最上部のものの高さが眼鏡処方値によって異なる。このため、この様なレンズ保持枠に保持される検査レンズをレンズ押さえ軸で押さえたときに、検査レンズに無理な力が作用し、検査レンズの保持状態が変化したりして、好ましくない。特に、検査レンズに円柱度数があるような場合でも、検査レンズの円柱軸の向きがずれる虞がある。しかし、この発明の掛け枠の検査レンズの光学特性測定方法によれば、掛け枠のレンズ保持枠に保持された検査レンズに無理な押さえ力が作用しないので、検査レンズに円柱度数があるような場合でも、検査レンズの円柱軸の向きがずれることがないく、正確な測定ができる。
【０１３０】
更に、請求項３のレンズメータによれば、前記レンズ受が設けられた筐体部に掛け枠の左右のテンプルを保持させるテンプル保持手段が設けられている構成としたので、掛け枠のテンプルをテンプル保持手段で保持することで、レンズ保持枠に保持された検査レンズのタブ等がレンズメータに当たるようなこともない。この結果、検査レンズに円柱度数があるような場合でも、検査レンズの円柱軸の向きがずれることがないので、簡易に正確な測定ができる。
【０１３１】
また、請求項４のレンズメータでは、前記テンプル保持手段が前後に移動調整可能に筐体部に保持されている。この構成によれば、テンプル保持手段にテンプルを保持させた状態で、掛け枠をテンプル保持手段と一体に前後動させることにより、掛け枠のレンズ保持枠をレンズ受軸に対して最適な位置に移動させて、正確な測定を行うことができる。
【０１３２】
更に、請求項５の発明のレンズメータは、前記左右のテンプル保持手段は前記検査レンズに円柱度数がある場合の軸角度の基準に設定されている。この構成によれば、テンプル保持手段の位置、即ちアーム部の延びる方向を検査レンズに円柱度数がある場合の円柱軸の軸角度の基準として、軸角度の測定を行うことができる。
【図面の簡単な説明】
【図１】今発明に係るレンズメータの正面図である。
【図２】図１のレンズメータの右側面図である。
【図３】図１のレンズメータの平面図である。
【図４】図１のＡ１−Ａ１線に沿う断面図である。
【図５】図１〜図４に示したレンズメータの光学系及び制御回路の説明図である。
【図６】図２〜図４に示した連設筐体の後部側を外して、一部を断面して示したレンズメータの側面図である。
【図７】図６のレンズメータの連設筐体の前壁を背面側から見た説明図である。
【図８】図９のＡ２−Ａ２に沿うフレーム保持機構の説明の為の断面図である。
【図９】図１のレンズメータを矢印Ａ３方向から見た平面図である。
【図１０】図９のＡ４−Ａ４線に沿う断面図である。
【図１１】図８のＡ５−Ａ５線に沿う断面図である。
【図１２】図８のＡ６−Ａ６線に沿う断面図である。
【図１３】図８，図１１，図１２の１対のリンク板の一方の説明図である。
【図１４】図８，図１１，図１２の１対のリンク板の他方の説明図である。
【図１５】（ａ）は図１〜図１４に示したレンズメータを正面から見た作用説明図、（ｂ）は（ａ）の右側面図である。
【図１６】（ａ）は図１〜図１４に示したレンズメータを正面から見た作用説明図、（ｂ）は（ａ）の右側面図である。
【図１７】（ａ）は図１〜図１４に示したレンズメータを正面から見た作用説明図、（ｂ）は（ａ）の右側面図である。
【図１８】（ａ）は図１〜図１４に示したレンズメータを正面から見た作用説明図、（ｂ）は（ａ）の右側面図である。
【図１９】（ａ）は図１〜図１４に示したレンズメータを正面から見た作用説明図、（ｂ）は（ａ）の右側面図である。
【図２０】（ａ）は図１〜図１４に示したレンズメータを正面から見た作用説明図、（ｂ）は（ａ）の右側面図である。
【図２１】（ａ）は図１〜図２０に示したレンズメータで検査レンズの光学特性が測定される掛け枠の一例を示す斜視図、（ｂ）は（ａ）のレンズ保持枠に保持される検査レンズの説明図である。
【図２２】図２１（ａ）の掛け枠に枠保持板を取り付けると共に一部を破断して省略した説明図である。
【図２３】図２２のＢ１−Ｂ１線に沿う断面図である。
【図２４】図２３の要部拡大断面図である。
【図２５】図２３の枠保持板を下方から見た説明図である。
【図２６】図２２の要部拡大図である。
【図２７】図２２の要部拡大図である。
【図２８】図２１の掛け枠に図２２〜図２７の枠保持具を取り付けて、この掛け枠の検査レンズを図１〜図２０のレンズメータで測定する際の作用説明図である。
【図２９】図２８と同様な作用説明図である。
【図３０】図２８と同様な作用説明図である。
【図３１】この発明の掛け枠の検査レンズの光学特性の測定に用いるレンズメータの他の例を示した正面図である。
【図３２】図３１のレンズメータの左側面図である。
【図３３】図１のレンズメータの平面図である。
【図３４】図３１のアーム部のＢ２−Ｂ２線に沿う断面図である。
【図３５】（ａ）は図３１〜図３４のレンズメータの作用説明図、（ｂ）は（ａ）の右側面図である。
【図３６】（ａ）は図３１〜図３４のレンズメータの作用説明図、（ｂ）は（ａ）の右側面図である。
【図３７】（ａ）は図３１〜図３４のレンズメータの作用説明図、（ｂ）は（ａ）の右側面図である。
【符号の説明】
５・・・メガネ
９Ｌ，９Ｒ・・・測定光学系
１７ａ，２８ａ・・・レンズ受軸（レンズ受）
３６，３７・・・フレーム保持板（フレーム保持部材）
６８Ｌ，６８Ｒ・・・レンズ押さえ軸（レンズ押さえ）
８０・・・演算制御回路
９１・・・マイクロスイッチ（掛け枠検出手段）
１００・・・掛け枠
１００Ｌ，１００Ｒ・・・レンズ保持枠
１０２・・・検査レンズ
１０４Ｌ，１０４Ｒ・・・テンプル
１１０・・・枠保持具（枠ホルダー）
１１１・・・枠支持板（枠支持部材）
２０３Ｌ，２０３Ｒ・・・テンプル保持手段
ＬＬ，ＬＲ・・・眼鏡レンズ
ＭＦ・・・眼鏡フレーム
Ｌｍ・・・レンズメータ
【図１】
2004045215.tif 000003
【図２】
2004045215.tif 000004
【図３】
2004045215.tif 000005
【図４】
2004045215.tif 000006
【図５】
2004045215.tif 000007
【図６】
2004045215.tif 000008
【図７】
2004045215.tif 000009
【図８】
2004045215.tif 000010
【図９】
2004045215.tif 000011
【図１０】
2004045215.tif 000012
【図１１】
2004045215.tif 000013
【図１２】
2004045215.tif 000014
【図１３】
2004045215.tif 000015
【図１４】
2004045215.tif 000016
【図１５】
2004045215.tif 000017
【図１６】
2004045215.tif 000018
【図１７】
2004045215.tif 000019
【図１８】
2004045215.tif 000020
【図１９】
2004045215.tif 000021
【図２０】
2004045215.tif 000022
【図２１】
2004045215.tif 000023
【図２２】
2004045215.tif 000024
【図２３】
2004045215.tif 000025
【図２４】
2004045215.tif 000026
【図２５】
2004045215.tif 000027
【図２６】
2004045215.tif 000028
【図２７】
2004045215.tif 000029
【図２８】
2004045215.tif 000030
【図２９】
2004045215.tif 000031
【図３０】
2004045215.tif 000032
【図３１】
2004045215.tif 000033
【図３２】
2004045215.tif 000034
【図３３】
2004045215.tif 000035
【図３４】
2004045215.tif 000036
【図３５】
2004045215.tif 000037
【図３６】
2004045215.tif 000038
【図３７】
2004045215.tif 000039